(57)【要約】【課題】ユーザがユーザの関心事に関連する銘柄に容易に投資すること【解決手段】本願に係る決定装置は、決定部を有する。決定部は、所定のテーマに関連する銘柄と所定のテーマとの関連度合いを示すテーマ関連度と、所定のテーマに関連する銘柄の評価を示す銘柄スコアとに基づいて、所定のテーマに関連する銘柄の中から、投資対象となる銘柄を決定する。【選択図】図２
2019056980.tif 000002
【特許請求の範囲】
【請求項１】
所定のテーマに関連する銘柄と当該所定のテーマとの関連度合いを示すテーマ関連度と、当該所定のテーマに関連する銘柄の評価を示す銘柄スコアとに基づいて、当該所定のテーマに関連する銘柄の中から、投資対象となる銘柄を決定する決定部
を備えることを特徴とする決定装置。
【請求項２】
テーマに関連し、かつ銘柄に対応付けられているコンテンツに基づいて、前記所定のテーマに関連する当該コンテンツに対応する銘柄を、前記所定のテーマに関連する銘柄として特定する特定部をさらに備える
ことを特徴とする請求項１に記載の決定装置。
【請求項３】
前記特定部は、
前記所定のテーマと、ニュース記事である前記コンテンツとに基づいて、前記所定のテーマに関連する当該ニュース記事に対応する銘柄を、前記所定のテーマに関連する銘柄として特定する
ことを特徴とする請求項２に記載の決定装置。
【請求項４】
前記決定部は、
前記テーマ関連度と前記銘柄スコアとに基づいて、前記所定のテーマに関連する銘柄を、前記所定のテーマに関連付けられる銘柄グループにまとめ、当該銘柄グループにまとめられた銘柄を、前記投資対象となる銘柄として決定する
ことを特徴とする請求項１〜３のいずれか一つに記載の決定装置。
【請求項５】
ユーザが前記決定部によって決定された前記銘柄グル―プにまとめられた銘柄にまとめて投資できるコンテンツ項目を含むユーザインタフェースを提供する提供部をさらに備える
ことを特徴とする請求項４に記載の決定装置。
【請求項６】
ユーザの検索クエリを記憶する検索履歴情報記憶部をさらに備え、
前記特定部は、前記検索履歴情報記憶部に記憶されているユーザの検索クエリに基づいて、前記所定のテーマを決定する
ことを特徴とする請求項２又は３に記載の決定装置。
【請求項７】
前記特定部は、前記コンテンツに対応付けられている前記銘柄を提示されるユーザの嗜好情報に基づいて、前記所定のテーマを決定する
ことを特徴とする請求項２、３又は６のいずれか一つに記載の決定装置。
【請求項８】
ニュース記事に関するニュース記事情報を記憶するニュース記事情報記憶部をさらに備え、
前記特定部は、
前記ニュース記事情報記憶部に記憶されているニュース記事情報に含まれる前記ニュース記事のトレンドに関するトレンド情報に基づいて、前記所定のテーマを決定する
ことを特徴とする請求項２、３、６又は７のいずれか一つに記載の決定装置。
【請求項９】
前記決定部は、
前記テーマ関連度と前記銘柄スコアとの積に基づいて、前記投資対象となる銘柄を決定する
ことを特徴とする請求項１〜８のいずれか一つに記載の決定装置。
【請求項１０】
前記決定部は、
前記所定のテーマに関連する銘柄の前記銘柄スコアの変動率に基づいて、前記投資対象となる銘柄を決定する
ことを特徴とする請求項１〜９のいずれか一つに記載の決定装置。
【請求項１１】
前記決定部は、
前記所定のテーマに関連する銘柄の開示情報に含まれる当該銘柄についての肯定的又は否定的な市場心理の度合いを示す指数に基づいて、前記投資対象となる銘柄を決定する
ことを特徴とする請求項１〜１０のいずれか一つに記載の決定装置。
【請求項１２】
前記決定部は、
特定の投資家が前記所定のテーマに関連する銘柄を購入したことを示す購入情報に基づいて、前記投資対象となる銘柄を決定する
ことを特徴とする請求項１〜１１のいずれか一つに記載の決定装置。
【請求項１３】
前記テーマに関連するテーマ関連キーワードと、当該テーマ関連キーワードを含む前記コンテンツとに基づいて、前記所定のテーマに関連する銘柄の前記テーマ関連度を算出するテーマ関連度算出部をさらに備える
ことを特徴とする請求項２、３又は６〜８のいずれか一つに記載の決定装置。
【請求項１４】
前記テーマ関連度算出部は、
前記コンテンツ中での前記テーマ関連キーワードの出現頻度に基づいて、前記所定のテーマに関連する銘柄の前記テーマ関連度を算出する
ことを特徴とする請求項１３に記載の決定装置。
【請求項１５】
前記テーマ関連度算出部は、
前記所定のテーマに関連する銘柄の前記銘柄スコアの変動率と前記コンテンツとの相関度に基づいて、前記所定のテーマに関連する銘柄の前記テーマ関連度を算出する
ことを特徴とする請求項１３又は１４に記載の決定装置。
【請求項１６】
株価、時価総額、値動き、値幅、出来高、銘柄ページの閲覧数及び銘柄掲示板の投稿数のうち少なくとも一つを含むレポートに基づいて、前記所定のテーマに関連する銘柄の前記銘柄スコアを算出する銘柄スコア算出部をさらに備える
ことを特徴とする請求項１〜１５のいずれか一つに記載の決定装置。
【請求項１７】
所定のテーマに関連する銘柄と当該所定のテーマとの関連度合いを示すテーマ関連度と、当該所定のテーマに関連する銘柄の評価を示す銘柄スコアとに基づいて、当該所定のテーマに関連する銘柄の中から、投資対象となる銘柄を決定する決定工程
を含むことを特徴とする決定方法。
【請求項１８】
所定のテーマに関連する銘柄と当該所定のテーマとの関連度合いを示すテーマ関連度と、当該所定のテーマに関連する銘柄の評価を示す銘柄スコアとに基づいて、当該所定のテーマに関連する銘柄の中から、投資対象となる銘柄を決定する決定手順
をコンピュータに実行させることを特徴とする決定プログラム。
【発明の詳細な説明】
【技術分野】
【０００１】
本発明は、決定装置、決定方法及び決定プログラムに関する。
【０００２】
従来、銘柄を検索するためのクエリを端末から受信し、クエリに関連する銘柄を端末に提示する技術が知られている。例えば、クエリの連想語を用いて、キーワードに関連付けられた銘柄の中から、クエリの連想語に対応するキーワードに関連付けられた銘柄を抽出し、提示する技術が知られている。
【先行技術文献】
【特許文献】
【０００３】
【特許文献１】特開２００９−１２２８０７号公報
【発明の概要】
【発明が解決しようとする課題】
【０００４】
しかしながら、上記のような従来の技術では、ユーザがユーザの関心事に関連する銘柄に容易に投資できるとは限らない。例えば、ユーザがクエリに関連する銘柄の一覧の中から、ユーザの関心事に関連する銘柄を容易に選択できるとは限らない。
【０００５】
本願は、上記に鑑みてなされたものであって、ユーザがユーザの関心事に関連する銘柄に容易に投資できる決定装置、決定方法及び決定プログラムを提供することを目的とする。
【０００６】
本願に係る決定装置は、所定のテーマに関連する銘柄と当該所定のテーマとの関連度合いを示すテーマ関連度と、当該所定のテーマに関連する銘柄の評価を示す銘柄スコアとに基づいて、当該所定のテーマに関連する銘柄の中から、投資対象となる銘柄を決定する決定部を備えることを特徴とする。
【発明の効果】
【０００７】
実施形態の一態様によれば、ユーザがユーザの関心事に関連する銘柄に容易に投資できるという効果を奏する。
【図面の簡単な説明】
【０００８】
【図１】図１は、実施形態に係る銘柄決定処理の一例を示す図である。
【図２】図２は、実施形態に係る決定装置の構成例を示す図である。
【図３】図３は、実施形態に係る検索履歴情報記憶部の一例を示す図である。
【図４】図４は、実施形態に係るテーマ情報記憶部の一例を示す図である。
【図５】図５は、実施形態に係るニュース記事情報記憶部の一例を示す図である。
【図６】図６は、実施形態に係る銘柄情報記憶部の一例を示す図である。
【図７】図７は、ユーザが所定のテーマに投資することができるコンテンツ項目を含むユーザインタフェースの一例を説明する図である。
【図８】図８は、実施形態に係る決定装置による銘柄決定処理手順を示すフローチャートである。
【図９】図９は、ハードウェア構成の一例を示す図である。
【発明を実施するための形態】
【０００９】
以下に、本願に係る決定装置、決定方法及び決定プログラムを実施するための形態（以下、「実施形態」と呼ぶ）について図面を参照しつつ詳細に説明する。なお、この実施形態により本願に係る決定装置、決定方法及び決定プログラムが限定されるものではない。また、各実施形態は、処理内容を矛盾させない範囲で適宜組み合わせることが可能である。また、以下の各実施形態において同一の部位には同一の符号を付し、重複する説明は省略される。
【００１０】
〔１．銘柄決定処理〕
まず、図１を用いて、実施形態に係る銘柄決定システム１の構成について説明する。図１に示すように、銘柄決定システム１には、端末装置１０１〜１０３と、決定装置１００と、情報提供装置２０と、コンテンツ提供装置３０とが含まれる。図１中では図示していないが、銘柄決定システム１は、４つ以上の端末装置１０１〜１０ｎを含んでもよい。本明細書では、端末装置１０１〜１０ｎを区別する必要がない場合は、端末装置１０１〜１０ｎを「端末装置１０」と総称する。
【００１１】
端末装置１０は、ユーザによって利用される情報処理装置である。図１の例では、端末装置１０１、端末装置１０２及び端末装置１０３は、それぞれユーザＵ１によって利用される情報処理装置、ユーザＵ２によって利用される情報処理装置、ユーザＵ３によって利用される情報処理装置である。図１の例において、端末装置１０は、ノート型ＰＣとして示されている。ただし、端末装置１０は、デスクトップ型ＰＣ（Personal  Computer）、ノート型ＰＣ、タブレット型ＰＣ、スマートフォン、ＰＤＡ（Personal  Digital  Assistant）を含む、任意のタイプの情報処理装置であってもよい。
【００１２】
情報提供装置２０は、銘柄情報を決定装置１００に提供するサーバ装置である。銘柄情報は、株価、時価総額、値動き、値幅、出来高、業績などの銘柄に関する評価を含み得る。また、銘柄情報は、銘柄レポート、診断カルテなどの銘柄に関する報告を含み得る。
【００１３】
コンテンツ提供装置３０は、コンテンツを決定装置１００に提供するサーバ装置である。例えば、コンテンツ提供装置３０は、ニュース記事に関するニュース記事情報を決定装置１００に提供する。１つの例では、コンテンツ提供装置３０は、社会に関するニュース記事、又はファイナンスに関するニュース記事のニュース記事情報を、決定装置１００に提供する。
【００１４】
決定装置１００は、各種情報を端末装置１０に提供するサーバ装置である。図１中では図示していないが、決定装置１００は、ネットワーク網（例えば、インターネット網）を介して、有線又は無線により端末装置１０、情報提供装置２０及びコンテンツ提供装置３０と通信を行う。
【００１５】
決定装置１００は、端末装置１０に対してウェブサイトを提供する。なお、ウェブサイトは、ショッピングサイト、ニュースサイト、オークションサイト、天気予報サイト、ファイナンス情報サイト、金融商品窓口サイト（例えば、証券取引サイト）路線検索サイト、地図提供サイト、旅行サイト、飲食店紹介サイト、アンケートサイト、ウェブブログを含む、任意のタイプのウェブサイトであってよい。また、ウェブサイトは、ショッピング、ニュース、オークション、天気予報、ファイナンス情報、金融商品窓口、路線情報、地図情報、アンケートなどのコンテンツを含む、任意のタイプのポータルサイトであってよい。ただし、「ウェブサイト」という用語は、「アプリケーション」を含むように広義に解釈し得る。例えば、「ポータルサイト」という用語は、スマートフォン上で実行するアプリケーションのポータルサイトを意味するものと解釈し得る。
【００１６】
次に、図１を用いて、実施形態に係る銘柄決定処理の一例について説明する。図１は、実施形態に係る銘柄決定処理の一例を示す図である。図１の例では、銘柄決定システム１によって銘柄決定処理が行われる。
【００１７】
はじめに、決定装置１００は、端末装置１０に対してニュースサイトを提供する（ステップＳ１１）。図１の例では、決定装置１００は、ニュースサイトを介して、端末装置１０に対して、ニュース記事Ａ１を提示する。「ニュース・・・＜有名人Ｃ１＞がん闘病・・・３０歳で死去。・・・有名人Ｃ１が、がんのため死去した。３０歳だった。・・・」は、ニュース記事Ａ１のテキストの例である。この例では、決定装置１００は、コンテンツ提供装置３０から、ニュース記事Ａ１に関するニュース記事情報を受信することができる。
【００１８】
続いて、決定装置１００は、端末装置１０から検索クエリを受信する（ステップＳ１２）。例えば、決定装置１００は、決定装置１００が提供するウェブサイトの検索ウィンドウを介して端末装置１０から、ウェブサイトの検索ウィンドウに入力された検索クエリを受信する。
【００１９】
例示の目的のために、ユーザＵ１は、ニュース記事Ａ１を閲覧し、「最新の抗がん治療はどうなっているの？」と思ったと仮定する。また、ユーザＵ２は、ニュース記事Ａ１を閲覧し、「最新の抗がん剤は何？」と思ったと仮定する。また、ユーザＵ３は、ニュース記事Ａ１を閲覧し、「どこの製薬企業が抗がん剤を作っているの？」と思ったと仮定する。この例では、決定装置１００は、端末装置１０１から、検索クエリ「抗がん治療」を受信する。また、決定装置１００は、端末装置１０２から、検索クエリ「抗がん剤」を受信する。また、決定装置１００は、端末装置１０３から、検索クエリ「製薬企業」を受信する。同様に、決定装置１００は、端末装置１０１〜１０３以外の端末装置１０からも、ニュース記事Ａ１の閲覧に起因する検索クエリを受信することができる。
【００２０】
続いて、決定装置１００は、受信された検索クエリに基づいて、所定のテーマを決定する（ステップＳ１３）。例えば、決定装置１００は、特定のムーブメントが起こったか否かを判断するために、受信された検索クエリが検索された検索回数が、所定の回数よりも多いか否かを判定する。「ムーブメント」とは、世の中に在る動きや社会的な流れを言う。そして、決定装置１００は、検索クエリが検索された検索回数が、所定の回数よりも多いと判定した場合に、検索クエリを、特定のムーブメントに関連する所定のテーマとして決定する。例示の目的のために、決定装置１００は、検索クエリ「抗がん治療」を所定のテーマとして決定したと仮定する。上記のように、決定装置１００は、抗がん治療のムーブメント（例えば、抗がん治療の進歩を目指す動きや社会的な流れ）が起こったと判断することができる。
【００２１】
続いて、決定装置１００は、所定のテーマとして決定された検索クエリと、所定のテーマとして決定された検索クエリを除く受信された検索クエリとに基づいて、所定のテーマに関連するテーマ関連キーワードを決定する（ステップＳ１４）。例えば、決定装置１００は、所定のテーマとして決定された検索クエリと、所定のテーマとして決定された検索クエリを除く受信された検索クエリとの間の相関関係を分析し、相関関係の分析に基づいて、所定のテーマとして決定された検索クエリを除く受信された検索クエリの中から、テーマ関連キーワードを決定する。この例では、決定装置１００は、所定のテーマとして決定された検索クエリと、所定のテーマとして決定された検索クエリを除く受信された検索クエリとの共起頻度を算出し、算出された共起頻度に基づいて、所定のテーマとして決定された検索クエリを除く受信された検索クエリの中から、テーマ関連キーワードを決定することができる。例示の目的のために、決定装置１００は、検索クエリ「抗がん剤」をテーマ関連キーワードとして決定したと仮定する。
【００２２】
続いて、決定装置１００は、情報提供装置２０から、銘柄情報を受信する（ステップＳ１５）。図１の例では、決定装置１００は、情報提供装置２０から、銘柄情報ＳＩ１を受信する。銘柄情報ＳＩ１は、製薬企業Ｐ１の株価が「１，０００円」であり、製薬企業Ｐ１の時価総額が「１００，０００百万円」であることを示す銘柄に関する情報を含む。また、決定装置１００は、株価「１，０００円」及び時価総額「１００，０００百万円」を銘柄「製薬企業Ｐ１」に対応付けて記憶する。
【００２３】
続いて、決定装置１００は、コンテンツ提供装置３０から、ニュース記事情報を受信する（ステップＳ１６）。ニュース記事情報は、決定装置１００が提供するファイナンス情報サイトを介して、決定装置１００によって、端末装置１０に対して提示され得る。図１の例では、決定装置１００は、コンテンツ提供装置３０から、ニュース記事情報ＡＩ１を受信する。「ファイナンス・・・製薬企業Ｐ１、抗がん剤ＡＣ１の臨床試験開始・・・」は、ニュース記事情報ＡＩ１に含まれるニュース記事のテキストの例である。そして、決定装置１００は、ニュース記事情報を解析し、ニュース記事情報に含まれる銘柄を特定する。そして、決定装置１００は、特定された銘柄とニュース記事情報とを対応付けて記憶する。図１の例では、決定装置１００は、ニュース記事情報ＡＩ１を解析し、銘柄「製薬企業Ｐ１」を特定する。そして、決定装置１００は、特定された銘柄「製薬企業Ｐ１」と「ニュース記事情報ＡＩ１」とを対応付けて記憶する。
【００２４】
続いて、決定装置１００は、テーマに関連し、かつ銘柄に対応付けられているコンテンツに基づいて、所定のテーマに関連するコンテンツに対応する銘柄を、所定のテーマに関連する銘柄として特定する（ステップＳ１７）。例えば、決定装置１００は、所定のテーマと、ニュース記事であるコンテンツとに基づいて、所定のテーマに関連するニュース記事に対応する銘柄を、所定のテーマに関連する銘柄として特定する。
【００２５】
図１の例では、決定装置１００は、所定のテーマ「抗がん治療」と、銘柄に対応付けられているニュース記事とに基づいて、所定のテーマ「抗がん治療」に関連するニュース記事に対応する銘柄を、所定のテーマ「抗がん治療」に関連する銘柄として特定する。例えば、決定装置１００は、記憶されている「ニュース記事情報ＡＩ１」を参照し、「ニュース記事情報ＡＩ１」のニュース記事のテキスト「ファイナンス・・・製薬企業Ｐ１、抗がん剤ＡＣ１の臨床試験開始・・・」に所定のテーマ「抗がん治療」に関連するテーマ関連キーワード「抗がん剤」が含まれることを特定する。そして、決定装置１００は、「ニュース記事情報ＡＩ１」が所定のテーマ「抗がん治療」に関連することを特定する。したがって、決定装置１００は、「ニュース記事情報ＡＩ１」と対応付けて記憶されている銘柄「製薬企業Ｐ１」を、所定のテーマ「抗がん治療」に関連する銘柄として特定することができる。同様に、決定装置１００は、銘柄「製薬企業Ｐ２」及び銘柄「製薬企業Ｐ３」を、所定のテーマ「抗がん治療」に関連する銘柄として特定したと仮定する。
【００２６】
続いて、決定装置１００は、所定のテーマに関連する銘柄と所定のテーマとの関連度合いを示すテーマ関連度と、所定のテーマに関連する銘柄の評価を示す銘柄スコアとに基づいて、所定のテーマに関連する銘柄の中から、投資対象となる銘柄を決定する（ステップＳ１８）。図１の例では、決定装置１００は、所定のテーマに関連する銘柄として特定された銘柄と所定のテーマとの関連度合いを示すテーマ関連度と、所定のテーマに関連する銘柄として特定された銘柄の評価を示す銘柄スコアとに基づいて、所定のテーマに関連する銘柄として特定された銘柄の中から、投資対象となる銘柄を決定する。所定のテーマに関連する銘柄は、決定装置１００によって特定された銘柄を含むが、これに限定されない。いくつかの例において、所定のテーマに関連する銘柄は、特定の提供装置（図示せず）から受信された銘柄情報に含まれる銘柄であってもよい。例えば、所定のテーマに関連する銘柄は、銘柄を分析するアナリストによって使用される提供装置から受信された銘柄情報に含まれるアナリストによって選定された銘柄であってもよい。
【００２７】
１つの例では、決定装置１００は、テーマ関連度と銘柄スコアとに基づいて、所定のテーマに関連する銘柄を、所定のテーマに関連付けられる銘柄グループにまとめ、銘柄グループにまとめられた銘柄を、投資対象となる銘柄として決定する。１つの例では、決定装置１００は、テーマ関連度と銘柄スコアとに基づいて、所定のテーマに関連する銘柄の中から、表示対象となる銘柄である投資対象となる銘柄を決定する。
【００２８】
１つの例では、決定装置１００は、テーマに関連するテーマ関連キーワードと、テーマ関連キーワードを含むコンテンツとに基づいて、所定のテーマに関連する銘柄のテーマ関連度を算出することができる。例えば、決定装置１００は、コンテンツ中でのキーワードの出現頻度に基づいて、所定のテーマに関連する銘柄のテーマ関連度を算出することができる。図１の例では、決定装置１００は、銘柄「製薬企業Ｐ１」に対応付けられているニュース記事情報ＡＩ１のニュース記事のテキスト中でのテーマ関連キーワード「抗がん剤」の出現頻度に基づいて、銘柄「製薬企業Ｐ１」と所定のテーマ「抗がん治療」との関連度を示すテーマ関連度を算出することができる。
【００２９】
１つの例では、決定装置１００は、株価、時価総額、値動き、値幅、出来高、銘柄ページの閲覧数及び銘柄掲示板の投稿数のうち少なくとも一つを含むレポートに基づいて、所定のテーマに関連する銘柄の銘柄スコアを算出する。図１の例では、決定装置１００は、銘柄「製薬企業Ｐ１」に対応付けられて記憶されている株価「１，０００円」及び時価総額「１００，０００百万円」に基づいて、銘柄「製薬企業Ｐ１」の評価を示す銘柄スコアを算出する。
【００３０】
１つの例では、決定装置１００は、テーマ関連度と銘柄スコアとの積に基づいて、投資対象となる銘柄を決定する。図１の例では、決定装置１００は、銘柄「製薬企業Ｐ１」のテーマ関連度と銘柄「製薬企業Ｐ１」の銘柄スコアとの積を算出する。同様に、決定装置１００は、銘柄「製薬企業Ｐ２」のテーマ関連度と銘柄「製薬企業Ｐ２」の銘柄スコアとの積を算出する。また、決定装置１００は、銘柄「製薬企業Ｐ３」のテーマ関連度と銘柄「製薬企業Ｐ３」の銘柄スコアとの積を算出する。そして、決定装置１００は、テーマ関連度と銘柄スコアとの積が大きい順に、所定の数の銘柄を投資対象となる銘柄として決定する。
【００３１】
例示の目的のために、決定装置１００は、銘柄「製薬企業Ｐ１」を、投資対象となる銘柄として決定したと仮定する。同様に、決定装置１００は、銘柄「製薬企業Ｐ２」及び銘柄「製薬企業Ｐ３」を、投資対象となる銘柄として決定したと仮定する。また、テーマ関連度と銘柄スコアとの積が、「製薬企業Ｐ１」、「製薬企業Ｐ２」、「製薬企業Ｐ３」の順に大きいと仮定する。この例では、決定装置１００は、銘柄「製薬企業Ｐ１」、銘柄「製薬企業Ｐ２」及び銘柄「製薬企業Ｐ３」を、テーマ「抗がん治療」に関連付けられる銘柄グループにまとめる。
【００３２】
続いて、提供装置１００は、ユーザがテーマに投資できるユーザインタフェースを提供する（ステップＳ１９）。例えば、提供装置１００は、ユーザが投資対象となる銘柄として決定された銘柄グループにまとめられた銘柄にまとめて投資できるコンテンツ項目を含むユーザインタフェースを提供する。図１の例では、ユーザＵ１がテーマ「抗がん治療」に投資できるユーザインタフェースＵＩ１を、端末装置１０１に提供する。例えば、ユーザインタフェースＵＩ１は、投資対象となる銘柄グループを提示するための表示領域を含む。
【００３３】
図１の例では、提供装置１００は、テーマ「抗がん治療」に関連付けられる銘柄グループにまとめられた銘柄「製薬企業Ｐ１」、銘柄「製薬企業Ｐ２」及び銘柄「製薬企業Ｐ３」を表示領域に提示する。この例では、提供装置１００は、銘柄「製薬企業Ｐ１」、銘柄「製薬企業Ｐ２」及び銘柄「製薬企業Ｐ３」を、テーマ関連度と銘柄スコアとの積の大きい順に配列して、表示領域に提示する。
【００３４】
１つの例では、ユーザインタフェースＵＩ１は、テーマ関連度と銘柄スコアとに関連するコンテンツ項目を含むことができる。例えば、ユーザインタフェースＵＩ１は、５段階評価に換算されたテーマ関連度及び銘柄スコアをユーザに提示するためのコンテンツ項目を含むことができる。
【００３５】
１つの例では、ユーザインタフェースＵＩ１は、ユーザＵ１がテーマに関連付けられる複数の銘柄にまとめて投資できるコンテンツ項目を含むことができる。例えば、コンテンツ項目は、ユーザＵ１が複数の銘柄を所定の比率でブレンドした銘柄のパッケージに投資できるコンテンツ項目を含むことができる。この例では、提供装置１００は、テーマ関連度と銘柄スコアとの積に基づいて、ブレンド比率を決定することができる。例えば、決定装置１００は、テーマ関連度と銘柄スコアとの積の大きい順にブレンド比率が高くなるように、ブレンド比率を決定することができる。図１の例では、ユーザインタフェースＵＩ１は、ユーザＵ１が銘柄「製薬企業Ｐ１」、銘柄「製薬企業Ｐ２」及び銘柄「製薬企業Ｐ３」をブレンド比率「５０％：３０％：２０％」でブレンドした銘柄のパッケージに投資できるコンテンツ項目「このテーマに投資する￥１０，０００×１」を含む。
【００３６】
上記のように、実施形態に係る決定装置１００は、所定のテーマに関連する銘柄と所定のテーマとの関連度合いを示すテーマ関連度と、所定のテーマに関連する銘柄の評価を示す銘柄スコアとに基づいて、所定のテーマに関連する銘柄の中から、投資対象となる銘柄を決定する。このため、実施形態に係る決定装置１００は、ユーザに、ユーザが関心を持ったテーマに関連する銘柄に直観的に投資させることができる。より具体的には、決定装置１００は、ユーザが関心を持ったテーマに関連する複数の銘柄を提示するとともに、ユーザが関心を持ったテーマと銘柄との関連度合いを示すテーマ関連度と、銘柄の評価を示す銘柄スコアをユーザに提示することにより、「テーマに投資する」という選択肢を、ユーザに提示することができる。この結果、決定装置１００は、所定のテーマに関心を持ったユーザに、所定のテーマに直観的に投資させることができる。以下、このような銘柄決定処理を実現する決定装置１００について詳細に説明する。
【００３７】
〔２．決定装置の構成〕
次に、図２を用いて、実施形態に係る決定装置１００の構成について説明する。図２は、実施形態に係る決定装置１００の構成例を示す図である。図２に示すように、決定装置１００は、通信部１１０と、記憶部１２０と、制御部１３０とを有する。なお、決定装置１００は、決定装置１００を利用する管理者等から各種操作を受け付ける入力部（例えば、キーボードやマウス等）や、各種情報を表示するための表示部（液晶ディスプレイ等）を有してもよい。
【００３８】
（通信部１１０）
通信部１１０は、例えば、ＮＩＣ（Network  Interface  Card）等によって実現される。通信部１１０は、ネットワーク網と有線又は無線により接続され、ネットワーク網を介して、端末装置１０、情報提供装置２０及びコンテンツ提供装置３０との間で情報の送受信を行う。
【００３９】
（記憶部１２０）
記憶部１２０は、例えば、ＲＡＭ（Random  Access  Memory)、フラッシュメモリ（Flash  Memory）等の半導体メモリ素子、または、ハードディスク、光ディスク等の記憶装置によって実現される。図２に示すように、記憶部１２０は、検索履歴情報記憶部１２１と、テーマ情報記憶部１２２と、ニュース記事情報記憶部１２３と、銘柄情報記憶部１２４とを有する。
【００４０】
（検索履歴情報記憶部１２１）
図３は、実施形態に係る検索履歴情報記憶部の一例を示す図である。検索履歴情報記憶部１２１は、ユーザの検索履歴情報を記憶する。例えば、検索履歴情報記憶部１２１は、受信部１３１によって受信されたユーザの検索履歴情報を記憶する。図３の例では、検索履歴情報記憶部１２１には、「検索履歴情報」が「ユーザＩＤ」ごとに記憶される。例示として、「検索履歴情報」には、項目「検索クエリ」及び「検索時刻」が含まれる。
【００４１】
「ユーザＩＤ」は、端末装置１０のユーザを識別するための識別子を示す。決定装置１００と端末装置１０との間でＨＴＴＰ（Hypertext  Transfer  Protocol）クッキー等が送受信される場合には、ＨＴＴＰクッキーにユーザＩＤが設定されてもよい。
【００４２】
「検索クエリ」は、ユーザが決定装置１００によって提供されるウェブサイトにおいて入力した検索クエリを示す。「検索時刻」は、ユーザが検索クエリを入力した時刻を示す。すなわち、図３は、ユーザＩＤ「Ｕ１」で識別されるユーザが、検索クエリ「抗がん治療」を、「２０１７年９月２０日午後１１時５９分」に入力したことを示している。
【００４３】
（テーマ情報記憶部１２２）
図４は、実施形態に係るテーマ情報記憶部の一例を示す図である。テーマ情報記憶部１２２は、所定のテーマに関するテーマ情報を記憶する。例えば、テーマ情報記憶部１２２は、特定部１３２によって決定された所定のテーマ及び特定部１３２によって決定されたテーマ関連キーワードに関するテーマ情報を記憶する。図４の例では、テーマ情報記憶部１２２には、「テーマ情報」が「テーマＩＤ」ごとに記憶される。例示として、「テーマ情報」には、項目「テーマタイトル」及び「テーマ関連キーワード」が含まれる。
【００４４】
「テーマＩＤ」は、所定のテーマを識別するための識別子を示す。「テーマタイトル」は、所定のテーマのタイトルを示す。図４の例では、「テーマタイトル」は、特定部１３２によって、検索クエリに基づいて決定された、所定のテーマを表す。例えば、「テーマタイトル」は、社会的なムーブメントや社会的な関心事を表し得る。「テーマ関連キーワード」は、所定のテーマに関連する関連キーワードを示す。図４の例では、「テーマ関連キーワード」は、特定部１３２によって、テーマと検索クエリとの間の相関関係の分析に基づいて決定された、関連キーワードを表す。例えば、「テーマ関連キーワード」がテーマタイトルの語句とともに検索条件として入力される確率は、所定の確率より高くなり得る。
【００４５】
図４は、テーマＩＤ「Ｔ１」で識別されるテーマのテーマタイトルが「抗がん治療」であることを示している。また、図４は、テーマＩＤ「Ｔ１」で識別されるテーマのテーマ関連キーワードが「抗がん剤」、「製薬企業」、「分子標的薬」であることを示している。すなわち、図４は、テーマ「抗がん治療」のテーマ関連キーワードが、「抗がん剤」、「製薬企業」、「分子標的薬」であることを示している。
【００４６】
（ニュース記事情報記憶部１２３）
図５は、実施形態に係るニュース記事情報記憶部の一例を示す図である。ニュース記事情報記憶部１２３は、ニュース記事に関するニュース記事情報を記憶する。例えば、ニュース記事情報記憶部１２３は、受信部１３１によって受信されたニュース記事情報を記憶する。図５の例では、ニュース記事情報記憶部１２３には、「ニュース記事情報」が「ニュース記事ＩＤ」ごとに記憶される。例示として、「ニュース記事情報」には、項目「テキスト」、「カテゴリ」、「キーワード」、及び「出現頻度」が含まれる。
【００４７】
「ニュース記事ＩＤ」は、ニュース記事を識別するための識別子を示す。「テキスト」は、ニュースのテキストを示す。「カテゴリ」は、ニュースのカテゴリを示す。「キーワード」は、ニュース記事のテキストに含まれるキーワードを示す。「出現頻度」は、ニュース記事のテキスト中でのキーワードの出現頻度を示す。
【００４８】
図５は、ニュース記事ＩＤ「Ａ１」で識別されるニュース記事のテキストが「ニュース・・・＜有名人Ｃ１＞がん闘病・・・３０歳で死去。・・・有名人Ｃ１が、がんのため死去した。３０歳だった。・・・」であることを示している。また、図５は、ニュース記事ＩＤ「Ａ１」で識別されるニュース記事のカテゴリが「社会」であることを示している。また、図５は、ニュース記事ＩＤ「Ａ１」で識別されるニュース記事に含まれるキーワードが「抗がん剤」、「製薬企業」及び「分子標的薬」であり、キーワード「抗がん剤」、「製薬企業」及び「分子標的薬」の出現頻度がそれぞれ「５％」、「３％」、「２％」であることを示している。
【００４９】
（銘柄情報記憶部１２４）
図６は、実施形態に係る銘柄情報記憶部の一例を示す図である。銘柄情報記憶部１２４は、銘柄に関する銘柄情報を記憶する。例えば、銘柄情報記憶部１２４は、受信部１３１によって受信された銘柄情報を記憶する。図６の例では、ニュース記事情報記憶部１２３には、「銘柄情報」が「銘柄ＩＤ」ごとに記憶される。例示として、「銘柄情報」には、項目「銘柄名」、「関連するニュース記事」、「前日比（関連するニュース記事の公開日）」、「日付」、「株価」、「前日比（日付の日））」及び「時価総額（百万）」が含まれる。
【００５０】
「銘柄ＩＤ」は、銘柄を識別するための識別子を示す。「銘柄名」は、銘柄の銘柄名を示す。「関連するニュース記事」は、関連するニュース記事を示す。「前日比（関連するニュース記事の公開日）」は、関連するニュース記事の公開日の前日比を示す。「日付」は、所定の日付の日を示す。「株価」は、日付の日の株価を示す。「前日比（日付の日））」は、日付の日の前日比を示す。「時価総額（百万）」は、日付の日の前日比（百万）を示す。
【００５１】
図６は、銘柄ＩＤ「Ｓ１」で識別される銘柄の銘柄名が「製薬企業Ｐ１」であることを示している。また、図６は、「銘柄ＩＤ」で識別される銘柄に関連するニュース記事が「Ａ２」、「Ａ３」及び「Ａ５」であることを示している。また、図６は、「銘柄ＩＤ」で識別される銘柄の関連するニュース記事の公開日の前日比が「＋１００（＋１０％）」であることを示している。また、図６は、「銘柄ＩＤ」で識別される銘柄の「２０１７年９月２０日」の株価、前日比及び時価総額がそれぞれ「１，０００円」、「−１０（−１％）」、「１００，０００百万円」であることを示している。
【００５２】
（制御部１３０）
制御部１３０は、コントローラ（controller）であり、例えば、ＣＰＵ（Central  Processing  Unit）、ＭＰＵ（Micro  Processing  Unit）等のプロセッサによって、提供装置１００内部の記憶装置に記憶されている各種プログラムがＲＡＭ等を作業領域として実行されることにより実現される。また、制御部１３０は、コントローラ（controller）であり、例えば、ＡＳＩＣ（Application  Specific  Integrated  Circuit）やＦＰＧＡ（Field  Programmable  Gate  Array）等の集積回路により実現されてもよい。
【００５３】
制御部１３０は、図２に示すように、受信部１３１と、特定部１３２と、テーマ関連度算出部１３３と、銘柄スコア算出部１３４と、決定部１３５と、提供部１３６とを有し、以下に説明する情報処理の機能や作用を実現又は実行する。なお、制御部１３０の内部構成は、図２に示した構成に限られず、後述する情報処理を行う構成であれば他の構成であってもよい。
【００５４】
（受信部１３１）
受信部１３１は、端末装置１０から検索クエリを受信する。また、受信部１３１は、情報提供装置２０から、銘柄情報を受信する。また、受信部１３１は、コンテンツ提供装置３０から、コンテンツを受信する。例えば、受信部１３１は、コンテンツ提供装置３０から、ニュース記事情報を受信する。
【００５５】
（特定部１３２）
特定部１３２は、受信部１３１によって受信された検索クエリに基づいて、所定のテーマを決定する。例えば、特定部１３２は、特定のムーブメントが起こったか否かを判断するために、検索クエリが検索された検索回数が、所定の回数よりも多いか否かを判定する。そして、特定部１３２は、検索クエリが検索された検索回数が、所定の回数よりも多いと判定した場合に、検索クエリを、特定のムーブメントに関連する所定のテーマとして決定する。
【００５６】
特定部１３２は、所定のテーマとして決定された検索クエリと、所定のテーマとして決定された検索クエリを除く受信部１３１によって受信された検索クエリとに基づいて、所定のテーマに関連するテーマ関連キーワードを決定する。例えば、特定部１３２は、所定のテーマとして決定された検索クエリと、所定のテーマとして決定された検索クエリを除く受信された検索クエリとの間の相関関係を分析し、相関関係の分析に基づいて、所定のテーマとして決定された検索クエリを除く受信された検索クエリの中から、テーマ関連キーワードを決定する。
【００５７】
特定部１３２は、所定のテーマと、銘柄に対応付けられているコンテンツとに基づいて、所定のテーマに関連するコンテンツに対応する銘柄を特定する。例えば、特定部１３２は、所定のテーマと、ニュース記事であるコンテンツとに基づいて、所定のテーマに関連するニュース記事に対応する銘柄を特定する。
【００５８】
（テーマ関連度算出部１３３）
テーマ関連度算出部１３３は、テーマに関連するキーワードと、テーマに関連するキーワードを含むコンテンツとに基づいて、所定のテーマに関連する銘柄のテーマ関連度を算出する。例えば、テーマ関連度算出部１３３は、コンテンツ中でのテーマに関連するキーワードの出現頻度に基づいて、所定のテーマに関連する銘柄のテーマ関連度を算出する。
【００５９】
（銘柄スコア算出部１３４）
銘柄スコア算出部１３４は、株価、時価総額、値動き、値幅、出来高、銘柄ページの閲覧数及び銘柄掲示板の投稿数のうち少なくとも一つを含むレポートに基づいて、所定のテーマに関連する銘柄の銘柄スコアを算出する。
【００６０】
（決定部１３５）
決定部１３５は、所定のテーマに関連する銘柄と所定のテーマとの関連度合いを示すテーマ関連度と、所定のテーマに関連する銘柄の評価を示す銘柄スコアとに基づいて、所定のテーマに関連する銘柄の中から、投資対象となる銘柄を決定する。例えば、決定部１３５は、特定部１３２によって所定のテーマに関連する銘柄として特定された銘柄と所定のテーマとの関連度合いを示すテーマ関連度と、特定部１３２によって所定のテーマに関連する銘柄として特定された銘柄の評価を示す銘柄スコアとに基づいて、所定のテーマに関連する銘柄として特定された銘柄の中から、投資対象となる銘柄を決定する。
【００６１】
１つの例では、決定部１３５は、テーマ関連度と銘柄スコアとに基づいて、所定のテーマに関連する銘柄を、所定のテーマに関連付けられる銘柄グループにまとめ、銘柄グループにまとめられた銘柄を、投資対象となる銘柄として決定することができる。１つの例では、決定部１３５は、テーマ関連度と銘柄スコアとに基づいて、所定のテーマに関連する銘柄の中から、表示対象となる銘柄である投資対象となる銘柄を決定することができる。１つの例では、決定部１３５は、テーマ関連度と銘柄スコアとの積に基づいて、投資対象となる銘柄を決定することができる。
【００６２】
（提供部１３６）
提供部１３６は、端末装置１０に対してウェブサイトを提供する。例えば、提供部１３６は、端末装置１０に対してニュースサイトを提供する。また、提供部１３６は、ユーザがテーマに投資できるユーザインタフェースを提供する。この点について、図７を用いて説明する。
【００６３】
図７は、ユーザが所定のテーマに投資することができるコンテンツ項目を含むユーザインタフェースの一例を説明する図である。図７に示したユーザインタフェースＵＩ１は、コンテンツ項目ＭＶ１、コンテンツ項目ＥＴ１、コンテンツ項目ＳＬ１、コンテンツ項目ＴＰ１、コンテンツ項目ＲＡ１及びコンテンツ項目ＯＴ１を含む。
【００６４】
１つの例では、コンテンツ項目ＭＶ１は、所定のテーマのテーマタイトルに関連するメインビジュアルを含むことができる。また、コンテンツ項目ＥＴ１は、所定のテーマの特徴、銘柄との関連性に関する記事を含むことができる。
【００６５】
１つの例では、コンテンツ項目ＳＬ１は、所定のテーマに関連付けられる銘柄グループにまとめられた銘柄である対象銘柄の銘柄名を含むことができる。また、コンテンツ項目ＳＬ１は、銘柄の株価、銘柄の前日比、銘柄のブレンド比率並びに５段階評価に換算されたテーマ関連度、及び銘柄スコアを含むことができる。また、コンテンツ項目ＳＬ１は、ユーザが複数の対象銘柄をブレンドした銘柄のパッケージに投資できるコンテンツ項目「このテーマに投資する」を含むことができる。
【００６６】
１つの例では、コンテンツ項目ＴＰ１は、対象銘柄の全体の「前日比」、「前月比」、「前年比」及び「設立以来」を含むことができる。「設立以来」は、テーマ設立時点の株価と所定の時点の終値とを比較した値を示す。また、コンテンツ項目ＲＡ１は、所定のテーマに関連するニュース記事を含むことができる。また、コンテンツ項目ＯＴ１は、所定のテーマ以外のテーマのテーマタイトルに関連するメインビジュアルを含むことができる。
【００６７】
〔３．銘柄決定処理のフロー〕
次に、実施形態に係る決定装置１００による銘柄決定処理の手順について説明する。図８は、実施形態に係る提供装置１００によるサービス提供処理手順を示すフローチャートである。
【００６８】
図８に示すように、決定装置１００の提供部１３６は、端末装置１０に対してニュースサイトを提供する（ステップＳ１０１）。続いて、受信部１３１は、提供部１３６が提供するウェブサイトの検索ウィンドウを介して端末装置１０から、ウェブサイトの検索ウィンドウに入力された検索クエリを受信する（ステップＳ１０２）。
【００６９】
続いて、特定部１３２は、受信部１３１によって受信された検索クエリに基づいて、所定のテーマを決定する（ステップＳ１０３）。続いて、特定部１３２は、所定のテーマとして決定された検索クエリと、所定のテーマとして決定された検索クエリを除く受信された検索クエリとに基づいて、所定のテーマに関連するテーマ関連キーワードを決定する（ステップＳ１０４）。
【００７０】
続いて、受信部１３１は、情報提供装置２０から、銘柄情報を受信する（ステップＳ１０５）。続いて、受信部１３１は、コンテンツ提供装置３０から、ニュース記事情報を受信する（ステップＳ１０６）。
【００７１】
続いて、特定部１３２は、テーマに関連し、かつ銘柄に対応付けられているコンテンツに基づいて、所定のテーマに関連するコンテンツに対応する銘柄を、所定のテーマに関連する銘柄として特定する（ステップＳ１０７）。続いて、決定部１３５は、特定部１３２によって所定のテーマに関連する銘柄として特定された銘柄と所定のテーマとの関連度合いを示すテーマ関連度と、特定部１３２によって特定された銘柄の評価を示す銘柄スコアとに基づいて、特定部１３２によって特定された銘柄の中から、投資対象となる銘柄を決定する（ステップＳ１０８）。続いて、提供部１３６は、ユーザがテーマに投資できるユーザインタフェースを提供する（ステップＳ１０９）。
【００７２】
〔４．変形例〕
上述してきた実施形態に係る決定装置１００は、上記実施形態以外にも種々の異なる形態にて実施されてよい。そこで、以下に、上記の決定装置１００の他の実施形態について説明する。
【００７３】
〔４−１．ユーザの趣味嗜好に基づくテーマ〕
上記実施形態では、特定部１３２は、受信部１３１によって受信された検索クエリに基づいて、所定のテーマを決定しているが、これに限定されるものではない。いくつかの実施形態では、特定部１３２は、コンテンツに対応付けられている銘柄を提示されるユーザの趣味嗜好に関する嗜好情報に基づいて、所定のテーマを決定することができる。例えば、特定部１３２は、ユーザ端末１０が提供部１３６によって提供されるウェブサイトを通してアクセスしたウェブサイトを示すアクセス履歴情報に基づいて、ユーザ端末１０のユーザの趣味嗜好を特定することができる。そして、特定部１３２は、特定された趣味嗜好に基づいて、所定のテーマを決定することができる。１つの例では、特定部１３２は、ユーザ端末１０が「パクチー」に関するウェブサイトにアクセスした場合に、ユーザ端末１０のユーザの趣味嗜好が「パクチー」であると特定し、趣味嗜好「パクチー」を所定のテーマとして決定することができる。
【００７４】
これらの実施形態において、特定部１３２は、ＴＦ−ＩＤＦ（Term  Frequency  -  Inverse  Document  Frequency）を用いて、所定のテーマに関するウェブサイトに含まれるキーワードに重みを割り当て、割り当てられた重みが所定の重みよりも大きい場合に、キーワードを所定のテーマに関連する関連キーワードとして決定することができる。１つの例では、特定部１３２は、ＴＦ−ＩＤＦを用いて、「パクチー」に関するウェブサイトに含まれるキーワード「レストラン」に重みを割り当て、割り当てられた重みが所定の重みよりも大きい場合に、キーワード「レストラン」を所定のテーマ「パクチー」に関連する関連キーワードとして決定することができる。
【００７５】
〔４−２．ニュースのトレンドに基づくテーマ〕
いくつかの実施形態では、特定部１３２は、ニュース記事情報に含まれるニュース記事のトレンドに関するトレンド情報に基づいて、所定のテーマを決定することができる。例えば、特定部１３２は、トレンド情報に基づいて、トレンドワードを特定し、特定されたトレンドワードを、所定のテーマとして決定することができる。「トレンドワード」とは、例えば、ニュース記事において出現頻度が急上昇しているワードである。
【００７６】
１つの例では、特定部１３２は、ニュース情報記憶部１２３を参照することで、ニュース記事のテキスト中でのキーワードの出現頻度を特定し、特定されたキーワードの出現頻度が所定の出現頻度よりも大きい場合に、キーワードを、ニュース記事のトピックとして決定することができる。そして、特定部１３２は、ニュース情報記憶部１２３を参照することで、ニュース記事のトピックとして決定されたキーワードを含むニュース記事の数を特定し、特定されたニュース記事の数が所定の閾値よりも多い場合に、ニュース記事のトピックを、ニュース記事のトレンドワードとして決定する。この例では、特定部１３２は、ニュース記事のトレンドワードを、所定のテーマとして決定することができる。
【００７７】
これらの実施形態において、特定部１３２は、配信されたニュース記事の閲覧回数に基づいて、ニュース記事からトレンドワードを抽出することができる。例えば、特定部１３２は、提供部１３６によって提供されたニュースサイトを介して端末装置１０に対して提示されたニュース記事の閲覧回数をカウントし、カウントされた閲覧回数が所定の回数よりも多い場合に、ニュース記事からトレンドワードを抽出することができる。
【００７８】
〔４−３．関連ニュース記事の公開〕
上記実施形態では、テーマ関連度算出部１３３は、テーマに関連するキーワードと、テーマに関連するキーワードを含むコンテンツとに基づいて、所定のテーマに関連する銘柄のテーマ関連度を算出しているが、これに限定されるものではない。いくつかの実施形態では、テーマ関連度算出部１３３は、所定のテーマに関連する銘柄の銘柄スコアの変動率とコンテンツとの相関度に基づいて、所定のテーマに関連する銘柄のテーマ関連度を算出することができる。例えば、決定部１３５は、銘柄情報記憶部１２４を参照し、所定のテーマに関連する銘柄の関連するニュース記事の公開日の前日比を特定する。そして、テーマ関連度算出部１３３は、所定のテーマに関連する銘柄の関連するニュース記事の公開日の前日比の値に基づいて、銘柄のテーマ関連度を算出することができる。
【００７９】
１つの例では、テーマ関連度算出部１３３は、所定のテーマに関連する銘柄の関連するニュース記事の公開日の前日比の値が高いほど、銘柄のテーマ関連度を高く算出する。この例では、決定部１３５は、テーマ関連度算出によって高く算出されたテーマ関連度と銘柄スコアとの積に基づいて、投資対象となる銘柄を決定することができる。
【００８０】
〔４−４．銘柄スコアの変動率〕
上記実施形態では、決定部１３５は、所定のテーマに関連する銘柄と所定のテーマとの関連度合いを示すテーマ関連度と、所定のテーマに関連する銘柄の評価を示す銘柄スコアとに基づいて、所定のテーマに関連する銘柄の中から、投資対象となる銘柄を決定しているが、これに限定されるものではない。いくつかの実施形態では、決定部１３５は、所定のテーマに関連する銘柄の銘柄スコアの変動率に基づいて、投資対象となる銘柄を決定することができる。例えば、決定部１３５は、所定のテーマに関連する銘柄の前日比の値が閾値よりも大きい場合に、所定のテーマに関連する銘柄を、非投資対象となる銘柄として決定することができる。
【００８１】
〔４−５．開示情報〕
いくつかの実施形態では、決定部１３５は、銘柄に関連する適時開示情報に基づいて、投資対象となる銘柄を決定することができる。例えば、決定部１３５は、銘柄の開示情報に含まれる銘柄についての肯定的又は否定的な市場心理の度合いを示す指数に基づいて、投資対象となる銘柄を決定することができる。
【００８２】
１つの例では、決定部１３５は、銘柄のＩＲ（Investor  Relations）情報に含まれる業績予想に基づいて、投資対象となる銘柄を決定することができる。また、決定部１３５は、特定の投資家が所定のテーマに関連する銘柄を購入したことを示す購入情報に基づいて、投資対象となる銘柄を決定することができる。
【００８３】
〔４−６．その他〕
また、上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。
【００８４】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【００８５】
例えば、図２に示した記憶部１２０の一部又は全部は、決定装置１００によって保持されるのではなく、ストレージサーバ等に保持されてもよい。この場合、決定装置１００は、ストレージサーバにアクセスすることで、ニュース記事情報や銘柄情報等の各種情報を取得する。
【００８６】
〔４−７．ハードウェア構成〕
また、上述してきた実施形態に係る決定装置１００は、例えば図９に示すような構成のコンピュータ１０００によって実現される。図９は、ハードウェア構成の一例を示す図である。コンピュータ１０００は、出力装置１０１０、入力装置１０２０と接続され、演算装置１０３０、一次記憶装置１０４０、二次記憶装置１０５０、出力ＩＦ（Interface）１０６０、入力ＩＦ１０７０、ネットワークＩＦ１０８０がバス１０９０により接続された形態を有する。
【００８７】
演算装置１０３０は、一次記憶装置１０４０や二次記憶装置１０５０に格納されたプログラムや入力装置１０２０から読み出したプログラム等に基づいて動作し、各種の処理を実行する。一次記憶装置１０４０は、ＲＡＭ等、演算装置１０３０が各種の演算に用いるデータを一時的に記憶するメモリ装置である。また、二次記憶装置１０５０は、演算装置１０３０が各種の演算に用いるデータや、各種のデータベースが登録される記憶装置であり、ＲＯＭ(Read  Only  Memory)、ＨＤＤ、フラッシュメモリ等により実現される。
【００８８】
出力ＩＦ１０６０は、モニタやプリンタといった各種の情報を出力する出力装置１０１０に対し、出力対象となる情報を送信するためのインタフェースであり、例えば、ＵＳＢ（Universal  Serial  Bus）やＤＶＩ（Digital  Visual  Interface）、ＨＤＭＩ（登録商標）（High  Definition  Multimedia  Interface）といった規格のコネクタにより実現される。また、入力ＩＦ１０７０は、マウス、キーボード、およびスキャナ等といった各種の入力装置１０２０から情報を受信するためのインタフェースであり、例えば、ＵＳＢ等により実現される。
【００８９】
なお、入力装置１０２０は、例えば、ＣＤ（Compact  Disc）、ＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等から情報を読み出す装置であってもよい。また、入力装置１０２０は、ＵＳＢメモリ等の外付け記憶媒体であってもよい。
【００９０】
ネットワークＩＦ１０８０は、ネットワークＮを介して他の機器からデータを受信して演算装置１０３０へ送り、また、ネットワークＮを介して演算装置１０３０が生成したデータを他の機器へ送信する。
【００９１】
演算装置１０３０は、出力ＩＦ１０６０や入力ＩＦ１０７０を介して、出力装置１０１０や入力装置１０２０の制御を行う。例えば、演算装置１０３０は、入力装置１０２０や二次記憶装置１０５０からプログラムを一次記憶装置１０４０上にロードし、ロードしたプログラムを実行する。
【００９２】
例えば、コンピュータ１０００が提供装置１００として機能する場合、コンピュータ１０００の演算装置１０３０は、一次記憶装置１０４０上にロードされたプログラムを実行することにより、制御部１３０の機能を実現する。
【００９３】
〔５．効果〕
上述してきたように、実施形態に係る決定装置１００は、決定部１３５を有する。決定部１３５は、所定のテーマに関連する銘柄と所定のテーマとの関連度合いを示すテーマ関連度と、所定のテーマに関連する銘柄の評価を示す銘柄スコアとに基づいて、所定のテーマに関連する銘柄の中から、投資対象となる銘柄を決定する。このため、決定装置１００は、所定のテーマに関心を持ったユーザが、所定のテーマに直観的に投資することを可能にする。
【００９４】
また、実施形態に係る決定装置１００は、テーマに関連し、かつ銘柄に対応付けられているコンテンツに基づいて、所定のテーマに関連するコンテンツに対応する銘柄を、所定のテーマに関連する銘柄として特定する特定部１３２を有する。このため、決定装置１００は、所定のテーマに関連する銘柄を、所定のテーマおよび銘柄と関連性を有するコンテンツから特定することによって、所定のテーマに関心を持ったユーザが、所定のテーマに直観的に投資することを可能にする。
【００９５】
また、実施形態に係る決定装置１００において、特定部１３２は、所定のテーマと、ニュース記事であるコンテンツとに基づいて、所定のテーマに関連するニュース記事に対応する銘柄を、所定のテーマに関連する銘柄として特定する。このため、決定装置１００は、所定のテーマに関連する銘柄をニュース記事から特定することによって、所定のテーマに関心を持ったユーザが、所定のテーマに直観的に投資することを可能にする。
【００９６】
また、実施形態に係る決定装置１００において、決定部１３５は、テーマ関連度と銘柄スコアとに基づいて、所定のテーマに関連する銘柄を、所定のテーマに関連付けられる銘柄グループにまとめ、銘柄グループにまとめられた銘柄を、投資対象となる銘柄として決定する。このため、決定装置１００は、所定のテーマに関心を持ったユーザが、所定のテーマに関連する銘柄にまとめて投資することを可能にする。
【００９７】
また、実施形態に係る決定装置１００は、ユーザが決定部１３５によって決定された銘柄グル―プにまとめられた銘柄にまとめて投資できるコンテンツ項目を含むユーザインタフェースを提供する提供部１３６を有する。このため、決定装置１００は、ユーザが、ワンクリックまたはワンタップで、所定のテーマに投資することができるユーザインタフェースを提供することによって、所定のテーマに関心を持ったユーザが、個別株を意識せずに、所定のテーマに関連する銘柄にまとめて投資することを可能にする。
【００９８】
また、実施形態に係る決定装置１００は、ユーザの検索クエリを記憶する検索履歴情報記憶部１２１を有する。また、実施形態に係る決定装置１００において、特定部１３２は、検索履歴情報記憶部１２１に記憶されているユーザの検索クエリに基づいて、所定のテーマを決定する。このため、決定装置１００は、社会的なムーブメントから所定のテーマを決定することによって、社会的なムーブメントに関心を持ったユーザが、個別株を意識せずに、社会的なムーブメントに投資することを可能にする。
【００９９】
また、実施形態に係る決定装置１００において、決定部１３５は、コンテンツに対応付けられている銘柄を提示されるユーザの嗜好情報に基づいて、所定のテーマを決定する。このため、決定装置１００は、ユーザの趣味嗜好に合致する銘柄との出逢いを提供することによって、ユーザが銘柄に投資するきっかけを作ることができる。
【０１００】
また、実施形態に係る決定装置１００は、ニュース記事に関するニュース記事情報を記憶するニュース記事情報記憶部１２３を有する。また、実施形態に係る決定装置１００において、特定部１３２は、ニュース記事情報記憶部１２３に記憶されているニュース記事情報に含まれるニュース記事のトレンドに関するトレンド情報に基づいて、所定のテーマを決定する。このため、決定装置１００は、社会的なトレンドに関心を持っているユーザが、個別株を意識せずに、社会的なトレンドに投資することを可能にする。
【０１０１】
また、実施形態に係る決定装置１００において、決定部１３５は、テーマ関連度と銘柄スコアとの積に基づいて、投資対象となる銘柄を決定する。このため、決定装置１００は、所定のテーマに関心を持ったユーザが、所定のテーマに関する銘柄に容易に投資することを可能にする。
【０１０２】
また、実施形態に係る決定装置１００において、決定部１３５は、所定のテーマに関連する銘柄の銘柄スコアの変動率に基づいて、投資対象となる銘柄を決定する。このため、決定装置１００は、投資リスクが高い銘柄を、投資対象となる銘柄から除外することができる。
【０１０３】
また、実施形態に係る決定装置１００において、決定部１３５は、所定のテーマに関連する銘柄の開示情報に含まれる銘柄についての肯定的又は否定的な市場心理の度合いを示す指数に基づいて、投資対象となる銘柄を決定する。このため、決定装置１００は、パフォーマンスが良い銘柄を、ユーザに提示することができる。
【０１０４】
また、実施形態に係る決定装置１００において、決定部１３５は、特定の投資家が所定のテーマに関連する銘柄を購入したことを示す購入情報に基づいて、投資対象となる銘柄を決定する。このため、決定装置１００は、将来性のある銘柄を、ユーザに提示することができる。
【０１０５】
また、実施形態に係る決定装置１００は、テーマに関連するテーマ関連キーワードと、テーマ関連キーワードを含むコンテンツとに基づいて、所定のテーマに関連する銘柄のテーマ関連度を算出するテーマ関連度算出部１３３を有する。このため、決定装置１００は、所定のテーマに関する銘柄をユーザに提示することができる。
【０１０６】
また、実施形態に係る決定装置１００において、テーマ関連度算出部１３３は、コンテンツ中でのテーマ関連キーワードの出現頻度に基づいて、所定のテーマに関連する銘柄のテーマ関連度を算出する。このため、決定装置１００は、所定のテーマに適合する銘柄をユーザに提示することができる。
【０１０７】
また、実施形態に係る決定装置１００において、テーマ関連度算出部１３３は、所定のテーマに関連する銘柄の銘柄スコアの変動率とコンテンツとの相関度に基づいて、所定のテーマに関連する銘柄のテーマ関連度を算出する。このため、決定装置１００は、所定のテーマと強く関連する銘柄をユーザに提示することができる。
【０１０８】
また、実施形態に係る決定装置１００は、株価、時価総額、値動き、値幅、出来高、銘柄ページの閲覧数及び銘柄掲示板の投稿数のうち少なくとも一つを含むレポートに基づいて、所定のテーマに関連する銘柄の銘柄スコアを算出する銘柄スコア算出部１３４を有する。このため、決定装置１００は、収益率の高い銘柄をユーザに提示することができる。
【０１０９】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１１０】
また、上述した提供装置１００は、複数のサーバコンピュータで実現してもよく、また、機能によっては外部のプラットフォーム等をＡＰＩ（Application  Programming  Interface）やネットワークコンピューティングなどで呼び出して実現するなど、構成は柔軟に変更できる。
【０１１１】
また、特許請求の範囲に記載した「手段」は、「部（section、module、unit）」や「回路」などに読み替えることができる。例えば、取得手段は、取得部や取得回路に読み替えることができる。
【符号の説明】
【０１１２】
１  銘柄決定システム
１００  決定装置
１２０  記憶部
１２１  検索履歴情報記憶部
１２２  テーマ情報記憶部
１２３  ニュース記事情報記憶部
１２４  銘柄情報記憶部
１３１  受信部
１３２  特定部
１３３  テーマ関連度算出部
１３４  銘柄スコア算出部
１３５  決定部
１３６  提供部
【図１】
2019056980.tif 000003
【図２】
2019056980.tif 000004
【図３】
2019056980.tif 000005
【図４】
2019056980.tif 000006
【図５】
2019056980.tif 000007
【図６】
2019056980.tif 000008
【図７】
2019056980.tif 000009
【図８】
2019056980.tif 000010
【図９】
2019056980.tif 000011